(57)【要約】【課題】  本発明は、記録再生装置及び記録再生装置の制御方法に関し、例えば講演会、会議の記録等に使用する携帯型のレコーダに適用して、マスタの記録媒体に記録された内容を確認しながら、簡易な操作により所望する部分を選択的にダビングすることができるようにする。【解決手段】  本発明は、第１の記録媒体に係る再生の操作子の操作により第１の記録媒体に記録された音声信号の再生を開始した後、第２の記録媒体に係る記録の操作子の操作により、第１の記録媒体で再生される音声信号の第２の記録媒体への記録を開始し、第２の記録媒体に係る停止の操作子の操作により、第１の記録媒体における音声信号の再生、第２の記録媒体への音声信号の再生を停止する。【選択図】        図１
2006252591.tif 000002
【特許請求の範囲】
【請求項１】
携帯型の記録再生装置において、
音声信号を取得するマイクと、
前記マイクで取得した前記音声信号を第１の記録媒体に記録し、また前記第１の記録媒体に記録された前記音声信号を再生する第１の記録再生系と、
脱着可能に保持された第２の記録媒体に、前記マイクで取得した前記音声信号を記録し、また前記第２の記録媒体に記録された前記音声信号を再生する第２の記録再生系と、
前記第１の記録再生系、前記第２の記録再生系で再生される前記音声信号を出力するスピーカと、
前記第１の記録再生系に係る複数の操作子による第１の操作子群と、
前記第２の記録再生系に係る複数の操作子による第２の操作子群と、
前記第１及び第２の操作子群の操作子の操作に応動して、前記第１及び第２の記録再生系の動作を制御する制御手段とを備え、
前記制御手段は、
前記第１の操作子群の再生の操作子の操作に応動して、前記第１の記録媒体の再生を開始して前記第１の記録媒体より再生される前記音声信号を前記スピーカより出力した後、
前記第２の操作子群の記録の操作子の操作に応動して、前記第１の記録媒体より再生される前記音声信号の前記第２の記録媒体への記録を開始し、
前記第２の操作子群の停止の操作子の操作に応動して、前記第１の記録媒体からの前記音声信号の再生、前記第２の記録媒体への前記音声信号の記録を停止する
ことを特徴とする記録再生装置。
【請求項２】
前記制御手段は、
前記第１の記録媒体より再生される前記音声信号を前記第２の記録媒体へ記録している状態で、前記第１の記録媒体より再生される前記音声信号を解析し、該解析結果に基づいて、前記第２の記録媒体への記録を一時停止する
ことを特徴とする請求項１に記載の記録再生装置。
【請求項３】
前記解析結果に基づいた前記第２の記録媒体への記録の一時停止が、前記第１の記録媒体より再生される前記音声信号が無音の場合である
ことを特徴とする請求項２に記載の記録再生装置。
【請求項４】
前記第２の記録再生系は、
前記スピーカより出力する音声信号に対して、遅延回路により前記音声信号を遅延させて前記第２の記録媒体へ記録する
ことを特徴とする請求項１に記載の記録再生装置。
【請求項５】
ユーザーによる操作に応動して、マイクより取得した音声信号を第１の記録媒体に記録し、前記第１の記録媒体に記録した音声信号を再生してスピーカから出力する記録再生装置の制御方法において、
前記記録再生装置は、
脱着可能に第２の記録媒体を保持し、
前記記録再生装置の制御方法は、
前記第１の記録媒体に係る再生の操作子の操作により、前記第１の記録媒体に記録した音声信号を再生してスピーカより出力した後、
前記第２の記録媒体に係る記録の操作子の操作により、前記第１の記録媒体より再生される前記音声信号の前記第２の記録媒体への記録を開始し、
前記第２の記録媒体に係る停止の操作子の操作に応動して、前記第１の記録媒体からの前記音声信号の再生、前記第２の記録媒体への前記音声信号の記録を停止する
ことを特徴とする記録再生装置の制御方法。
【発明の詳細な説明】
【技術分野】
【０００１】
本発明は、記録再生装置及び記録再生装置の制御方法に関し、例えば講演会、会議の記録等に使用する携帯型のレコーダに適用することができる。本発明は、第１の記録媒体に係る再生の操作子の操作により第１の記録媒体に記録された音声信号の再生を開始した後、第２の記録媒体に係る記録の操作子の操作により、第１の記録媒体で再生される音声信号の第２の記録媒体への記録を開始し、第２の記録媒体に係る停止の操作子の操作により、第１の記録媒体における音声信号の再生、第２の記録媒体への音声信号の記録を停止することにより、マスタの記録媒体に記録された内容を確認しながら、簡易な操作により所望する部分を選択的にダビングすることができるようにする。
【背景技術】
【０００２】
従来、携帯型のテープレコーダが、講演会、会議等の記録に広く使用されている。また近年、この種の携帯型の記録再生装置として、磁気テープに代えてメモリを用いたものが市場に投入されている。このようなメモリを用いた記録再生装置は、磁気テープを用いた装置に比して、容量を大型化することができ、さらにはランダムアクセス可能等の種々の長所を有している。
【０００３】
ところでこの種の記録は、必要に応じて、いわゆるテープ起こしによりオペレータが聞き取って原稿を作成する場合がある。このためこのようなテープ起こしに使用するテープレコーダは、キーボードを操作しながら、聞き取りにくい箇所を繰り返し聞き直すことができるように、フットスイッチにより巻き戻し、再生等の操作を実行できるように構成されている。
【０００４】
これによりこのような記録では、講演会、会議等で記録したマスタの記録媒体から、テープ起こし用の記録媒体にダビングすることが必要になる。またこのようなテープ起こしにあっては、全体の一部分のみを対象とする場合もあり、これらによりマスタの記録媒体に記録された内容を確認しながら、簡易な操作により所望の部分を選択的にダビングすることが求められる。
【０００５】
なおこのようなダビングに関して、例えば特開２００４−９５１２０号公報等に種々の工夫が提案されているが、これらの提案にあっては、曲単位でダビングしたり、編集点によりダビングしたりする方法であり、これによりこの種の記録のダビングには実際上適用することが困難な問題がある。
【特許文献１】特開２００４−９５１２０号公報
【発明の開示】
【発明が解決しようとする課題】
【０００６】
本発明は以上の点を考慮してなされたもので、マスタの記録媒体に記録された内容を確認しながら、簡易な操作により所望する部分を選択的にダビングすることができる記録再生装置、記録再生装置の制御方法を提案しようとするものである。
【課題を解決するための手段】
【０００７】
かかる課題を解決するため請求項１の発明においては、携帯型の記録再生装置に適用して、制御手段は、前記第１の操作子群の再生の操作子の操作に応動して、前記第１の記録媒体の再生を開始して前記第１の記録媒体より再生される前記音声信号を前記スピーカより出力した後、前記第２の操作子群の記録の操作子の操作に応動して、前記第１の記録媒体より再生される前記音声信号の前記第２の記録媒体への記録を開始し、前記第２の操作子群の停止の操作子の操作に応動して、前記第１の記録媒体からの前記音声信号の再生、前記第２の記録媒体への前記音声信号の記録を停止する。
【０００８】
また請求項５の発明においては、記録再生装置の制御方法に適用して、前記記録再生装置は、前記第１の記録媒体に係る再生の操作子の操作により、前記第１の記録媒体に記録した音声信号を再生してスピーカより出力した後、前記第２の記録媒体に係る記録の操作子の操作により、前記第１の記録媒体より再生される前記音声信号の前記第２の記録媒体への記録を開始し、前記第２の記録媒体に係る停止の操作子の操作に応動して、前記第１の記録媒体からの前記音声信号の再生、前記第２の記録媒体への前記音声信号の記録を停止する。
【０００９】
請求項１の構成により、携帯型の記録再生装置に適用して、制御手段は、前記第１の操作子群の再生の操作子の操作に応動して、前記第１の記録媒体の再生を開始して前記第１の記録媒体より再生される前記音声信号を前記スピーカより出力した後、前記第２の操作子群の記録の操作子の操作に応動して、前記第１の記録媒体より再生される前記音声信号の前記第２の記録媒体への記録を開始し、前記第２の操作子群の停止の操作子の操作に応動して、前記第１の記録媒体からの前記音声信号の再生、前記第２の記録媒体への前記音声信号の記録を停止すれば、第１の記録媒体に記録された内容を確認しながら、第２の操作子群の記録の操作子を操作するだけで、所望する部分からダビングを開始することができる。またこのようにしてダビングを開始して、第２の操作子群の停止の操作子を操作するだけで、第１の記録媒体を再生して、ダビングを停止することができ、これらによりマスタの記録媒体に記録された内容を確認しながら、簡易な操作により所望する部分を選択的にダビングすることができる。
【００１０】
これにより請求項５の構成によれば、マスタの記録媒体に記録された内容を確認しながら、簡易な操作により所望する部分を選択的にダビングすることができる記録再生装置の制御方法を提供することができる。
【発明の効果】
【００１１】
本発明によれば、マスタの記録媒体に記録された内容を確認しながら、簡易な操作により所望する部分を選択的にダビングすることができる。
【発明を実施するための最良の形態】
【００１２】
以下、適宜図面を参照しながら本発明の実施例を詳述する。
【実施例１】
【００１３】
（１）実施例の構成
図２は、本発明の実施例に係る記録再生装置を示す図である。この記録再生装置１は、第１及び第２の記録再生系による２系統の記録再生系を有し、この第１及び第２の記録再生系に対応する２つの記録媒体にマイク２で取得した音声信号を記録可能に形成される。この記録再生装置１は、この２つの記録媒体に、内蔵メモリと磁気テープとが適用され、これにより必要に応じて内蔵メモリをマスタの記録媒体として使用して、このマスタの記録媒体に記録しながら、磁気テープにテープ起こし用の内容を記録できるように構成される。またマスタに記録された内容を確認しながらマスタの記録媒体より磁気テープにテープ起こし用の内容をダビングできるように構成される。この記録再生装置１は、これら２系統の記録再生系に係る操作子が、それぞれ上面及び前面にまとめて設けられる。
【００１４】
すなわちこの記録再生装置１は、全体が略長方体により形成され、上面に、記録時間等の表示手段３、内蔵メモリに係る用件選択の操作子４Ａ、４Ｂ、早送り、巻き戻しの操作子４Ｃ、４Ｄ、録音、停止、再生、一時停止の操作子４Ｅ〜４Ｈ等による第１の操作子群が設けられる。またさらにこの上面に、２系統の記録再生系で共通のスピーカ５、各操作子の操作を困難とするホールドの操作子６、マイク２が設けられる。
【００１５】
これに対して底面には、蓋７が設けられ、この蓋７を開いて磁気テープを装填可能に形成され、前面に、この磁気テープに係る早送り、巻き戻しの操作子８Ａ、８Ｂ、録音、停止、再生の操作子８Ｃ〜８Ｅによる第２の操作子群が設けられる。
【００１６】
これらによりこの記録再生装置１は、２系統の記録再生系に係る操作子が分離して設けられ、これら２系統の記録再生系に係る誤操作を防止する。
【００１７】
図３は、この記録再生装置１の構成を示すブロック図である。この記録再生装置１において、第１の記録再生系であるメモリ１１の記録再生系１２は、スイッチ回路１３を介してマイク２から得られる音声信号をアナログディジタル変換回路（Ａ／Ｄ）１４に入力し、ここでアナログディジタル変換処理して音声データを生成する。メモリ１１の記録再生系１２は、この音声データをエンコーダ１５によりデータ圧縮してメモリ１１に記録する。またメモリ１１の記録再生系１２は、メモリ１１に記録されたデータを読み出してデコーダ１６によりデータ伸長し、これにより音声データを再生する。メモリ１１の記録再生系１２は、この再生した音声データをディジタルアナログ変換回路（Ｄ／Ａ）１７により音声信号に変換して出力する。
【００１８】
これに対して第２の記録再生系である磁気テープ１８の記録再生系１９は、スイッチ回路２０を介してマイク２から得られる音声信号を記録回路２１により磁気テープ１８に記録する。また再生回路２２により磁気テープ１８から音声信号を再生する。
【００１９】
この記録再生装置１は、このようにして磁気テープ１８の記録再生系１９、メモリ１１の記録再生系１２から得られる音声信号により増幅回路２３でスピーカ５を駆動する。これらによりこの記録再生装置１は、スイッチ回路１３、２０の制御によりそれぞれメモリ１１、磁気テープ１８にマイク２から得られる音声信号を記録できるように形成され、またこれらメモリ１１、磁気テープ１８に記録された音声信号を再生してスピーカ５より出力できるように形成される。
【００２０】
さらに記録再生装置１は、ディジタルアナログ変換回路１７から出力される音声信号がコントローラ２９に内蔵の遅延回路２５により所定時間遅延された後、スイッチ回路２７を介して記録回路２１に入力される。これによりこの記録再生装置１は、このスイッチ回路２７の制御によりメモリ１１で再生した音声信号を磁気テープ１８に記録できるように形成される。
【００２１】
コントローラ２９は、この記録再生装置１全体の動作を制御する制御手段であり、操作子４Ａ〜４Ｈ、８Ａ〜８Ｅの操作に応動した制御プログラムの実行により全体の動作を制御する。この制御においてコントローラ２９は、メモリ１１の記録再生系１２に係る操作子４Ａ〜４Ｈが操作されると、これら操作子４Ａ〜４Ｈの操作に応動してメモリ１１の記録再生系１２の動作を制御し、これによりマイク２から得られる音声信号をメモリ１１に記録し、またメモリ１１に記録した音声信号を再生する。
【００２２】
これに対して磁気テープ１８の記録再生系１９に係る操作子８Ａ〜８Ｅが操作されると、メモリ１１の記録再生系１２の動作状態に応じて操作子８Ａ〜８Ｅの操作を選択的に受け付け、磁気テープ１８の記録再生系１９の動作を切り換える。
【００２３】
すなわちメモリ１１の記録再生系１２が何ら動作していない状態で、磁気テープ１８の記録再生系１９に係る操作子８Ａ〜８Ｅが操作された場合、コントローラ２９は、操作子８Ａ〜８Ｅの動作に応動してマイク２から得られる音声信号を磁気テープ１８に記録し、また磁気テープ１８に記録した音声信号を再生し、さらにはこれらの動作を停止し、早送り、巻き戻しの処理を実行する。これによりこの記録再生装置１は、単なる携帯型のテープレコーダとしても使用できるようになされている。
【００２４】
これに対してメモリ１１の記録再生系１２がマイク２より得られる音声信号を記録している状態にあっては、記録の操作子８Ｃ、停止の操作子８Ｄについてのみ、選択的に操作を受け付け、これによりメモリ１１でマイク２より得られる音声信号を記録しながら、磁気テープ１８にこのマイク２の音声信号を記録し、またこの記録を中止する。これによりこの記録再生装置１は、テープ起こし用に磁気テープ１８に音声信号を記録しながら、マスタ用にメモリ１１に音声信号を記録する。
【００２５】
これに対してメモリ１１の記録再生系１２がメモリ１１に記録された音声信号を再生している状態にあっては、記録の操作子８Ｃ、停止の操作子８Ｄについてのみ、選択的に操作を受け付け、メモリ１１より再生される音声信号を磁気テープ１８に記録し、またこの記録を停止する。これにより記録再生装置１は、マスタの記録媒体であるメモリ１１に記録された内容を確認しながら、簡易な操作により所望する部分を選択的に磁気テープ１８にダビングすることができるようになされている。
【００２６】
すなわち図１は、このダビングの処理に係るコントローラ２９の処理手順を示すフローチャートである。コントローラ２９は、ユーザーによりメモリ１１の記録再生系１２に係る再生の操作子４Ｇが操作されると、この処理手順を開始してステップＳＰ１からステップＳＰ２に移り、ここでこの記録再生系１２の動作モードを再生モードに切り換え、メモリ１１に記録された音声信号の再生を開始してスピーカ５から出力する。
【００２７】
また続いてステップＳＰ３に移り、ここで磁気テープ１８の記録再生系について、記録の操作子８Ｃの操作により、ユーザーが記録を指示したか否か判断し、ここで否定結果が得られると、ステップＳＰ３を繰り返す。これによりコントローラ２９は、記録の操作子８Ｃが操作されるまでの間、メモリ１１の記録再生系に係る動作をユーザーによる操作子の操作に応動して切り換えて頭出し等の操作を受け付ける。これにより図４（Ａ）に示すように、この記録再生装置１ではマスタの記録媒体に記録した内容を確認して、必要に応じて頭出し等の操作を受け付ける。
【００２８】
これに対してステップＳＰ３で肯定結果が得られると、コントローラ２９は、ステップＳＰ３からステップＳＰ４に移り、ここで磁気テープ１８の記録再生系について、スイッチ回路２０、２７をそれぞれオフ状態、オン状態に設定して動作モードを記録モードに切り換え、これにより図４（Ｂ）に示すように、メモリ１１から再生される音声信号の磁気テープ１８への記録を開始する。またこれにより記録再生装置１では、コントローラ２９に内蔵の遅延回路２５を介して音声信号を遅延させて記録再生系１９で記録し、これによりユーザーによる記録開始の操作に遅れがあった場合でも、ユーザーが記録の開始を意図した箇所については、間違い無く記録できるようになされている。
【００２９】
このようにして記録を開始すると、コントローラ２９は、ステップＳＰ５に移り、デコーダ１６から出力される音声データの解析を開始する。この実施例において、コントローラ２９は、デコーダ１６から出力される音声データの信号レベルの判定により、この音声データを解析し、これにより無音の状態か否か判断する。ここで肯定結果が得られると、コントローラ２９は、ステップＳＰ５からステップＳＰ６に移り、磁気テープ１８の記録再生系１９による記録を一時停止する。また続くステップＳＰ７において、同様のデコーダ１６から出力される音声データの信号レベルの判定により、無音の状態が終了したか否か判断し、ここで否定結果が得られると、ステップＳＰ７を繰り返す。
【００３０】
これによりコントローラ２９は、図４（Ａ）及び（Ｂ）により示すように、メモリ１１から磁気テープ１８に音声データのダビングを開始して、無音期間Ｔ１、Ｔ２、Ｔ３については、音声データの記録を中止し、無駄な録音を防止する。
【００３１】
これに対してステップＳＰ７で肯定結果が得られると、コントローラ２９は、ステップＳＰ７からステップＳＰ８に移り、記録の一時停止を解除した後、ステップＳＰ５に戻る。
【００３２】
これに対してステップＳＰ５で否定結果が得られると、コントローラ２９は、ステップＳＰ５からステップＳＰ９に移る。ここでコントローラ２９は、磁気テープ１８の記録再生系１９に係る停止の操作子８Ｄが操作されたか否か判断し、ここで否定結果が得られると、ステップＳＰ５に戻る。これに対してステップＳＰ９で肯定結果が得られると、ステップＳＰ９からステップＳＰ１０に移り、磁気テープ１８の記録再生系１９における記録の動作を停止制御すると共に、メモリ１１の記録再生系１２における再生の動作を停止制御した後、ステップＳＰ１１に移ってこの処理手順を終了する。
【００３３】
（２）実施例の動作
以上の構成において、この記録再生装置１では、記録再生装置１に内蔵のメモリ１１に音声信号を記録する場合、上面に設けられたメモリ１１に係る操作子群のうちの記録の操作子４Ｅの操作により、マイク２より得られる音声信号がアナログディジタル変換回路１４により音声データに変換され、この音声データがエンコーダ１５によりデータ圧縮されてメモリ１１に記録される。またこのようにしてメモリ１１に記録された内容を確認する場合にあっては、同様に上面に設けられたメモリ１１に係る操作子群のうちの再生の操作子４Ｇの操作により、メモリ１１に記録されたデータが読み出されてデコーダ１６によりデータ伸長され、その結果得られる音声データがディジタルアナログ変換回路１７により音声信号に変換されてスピーカ５より出力される。これにより携帯してメモリ１１に講演会、会議等の内容を記録し、また記録した内容を確認することができる。
【００３４】
これに対して磁気テープ１８によりこのような内容を記録する場合、正面に設けられた磁気テープ１８に係る操作子群のうちの記録の操作子８Ｃの操作により、マイク２より得られる音声信号が記録回路２１により磁気テープ１８に記録される。またこのようにして磁気テープ１８に記録された内容を確認する場合にあっては、同様に前面に設けられた磁気テープ１８に係る操作子群のうちの再生の操作子８Ｅの操作により、磁気テープ１８に記録された音声信号が再生回路２２で再生され、この音声信号がスピーカ５より出力される。これにより携帯してテープレコーダとして使用して、会議等の内容を記録し、また記録した内容を確認することができる。
【００３５】
これに対して例えばテープ起こし用に記録しながら、講演会等の内容を記録する場合、メモリ１１側、磁気テープ１８側の双方について、各操作子群の記録の操作子４Ｅ、８Ｃを操作することにより、上述したメモリ１１への記録と磁気テープ１８への記録とが同時に進行し、これによりわざわざダビングすることなく、テープ起こし用の記録を作成することができる。
【００３６】
またこれに対して例えばメモリ１１に記録された内容を確認してテープ起こし用に磁気テープ１８に音声信号を記録する場合、メモリ１１に係る操作子群のうちの再生の操作子４Ｇを操作してメモリ１１に記録された内容を再生した状態で、磁気テープ１８に係る操作子群のうちの記録の操作子８Ｃを操作することにより、メモリ１１より再生された音声信号の磁気テープ１８への記録が開始される。また磁気テープ１８に係る操作子群の停止の操作子８Ｄの操作により、メモリ１１の再生が停止し、さらには磁気テープ１８への記録が停止する。
【００３７】
これによりこの記録再生装置１では、メモリ１１に記録された内容をスピーカ５により確認しながら、磁気テープ１８に係る記録の操作子８Ｃを操作するだけで、テープ起こし用のダビングを開始することができ、また磁気テープ１８に係る停止の操作子８Ｄを操作するだけで、このようなダビングを停止することができ、これによりマスタの記録媒体に記録された内容を確認しながら、簡易な操作により所望する部分を選択的にダビングすることができる。
【００３８】
さらに記録再生装置１では、この磁気テープ１８への記録においては、スピーカ５から出力される音声信号に対して、遅延回路２５を介して音声信号を遅延させて磁気テープ１８に記録することにより、ユーザーによる記録開始の操作に遅れがあった場合でも、ユーザーが記録の開始を意図した箇所については、間違い無く記録を開始することができ、これによっても簡易な操作によりマスタの記録媒体に記録された内容を確認しながら、所望する部分を選択的にダビングすることができる。
【００３９】
またこのようにしてダビングする際には、コントローラ２９によりメモリ１１から再生された音声信号が解析され、この解析結果により、磁気テープ１８への記録が一時停止され、これにより磁気テープ１８の無駄な消費が防止される。具体的に、この実施例にあっては、この音声信号の解析により無音の期間で磁気テープ１８への記録が一時停止され、これにより例えば会議等の記録に関して、無駄な磁気テープ１８の消費を防止することができる。
【００４０】
しかしてこのようにして２つの記録媒体の記録、再生を個々に操作するメモリ１１、磁気テープ１８に係る操作子を個別に設けるようにして、この記録再生装置１では、メモリ１１に係る操作子がまとめられて筐体の上面に設けられ、また磁気テープ１８のに係る操作子がまとめられて筐体の前面に設けられ、これによりそれぞれ第１及び第２の記録媒体に係る操作子群が、筐体の異なる面に設けられる。これによりユーザーにおいては、このような２つの記録媒体を個々に操作する場合であっても、所望する記録媒体に係る操作を間違いなく実行することができ、ユーザーにより誤操作を防止することができる。
【００４１】
（３）実施例の効果
以上の構成によれば、第１の記録媒体であるメモリに係る再生の操作子の操作により第１の記録媒体に記録された音声信号の再生を開始した後、第２の記録媒体である磁気テープに係る記録の操作子の操作により、第１の記録媒体で再生される音声信号の第２の記録媒体への記録を開始し、第２の記録媒体に係る停止の操作子の操作により、第１の記録媒体における音声信号の再生、第２の記録媒体への音声信号の記録を停止することにより、マスタの記録媒体に記録された内容を確認しながら、簡易な操作により所望する部分を選択的にダビングすることができるようにする。
【００４２】
またこのダビングにおいて、第１の記録媒体より再生される音声信号を解析し、該解析結果に基づいて、第２の記録媒体への記録を一時停止することにより、第２の記録媒体の無駄な消費を防止することができる。
【００４３】
具体的に、第１の記録媒体より再生される音声信号が無音の場合に、第２の記録媒体への記録を一時停止することにより、第２の記録媒体の無駄な消費を防止することができる。
【００４４】
またスピーカより出力する音声信号に対して、遅延回路により音声信号を遅延させて第２の記録媒体に記録することにより、ユーザーが記録の開始を意図した箇所については、間違い無く記録することができ、これにより簡易な操作によりマスタの記録媒体に記録された内容を確認しながら、所望する部分を確実にダビングすることができる。
【実施例２】
【００４５】
なお上述の実施例においては、無音期間で磁気テープへの記録を一時停止する場合について述べたが、本発明はこれに限らず、例えば拍手の部分で磁気テープへの記録を一時停止するようにしてもよい。
【００４６】
また上述の実施例においては、第１及び第２の記録媒体にそれぞれ内蔵メモリ、磁気テープを適用する場合について述べたが、本発明はこれに限らず、例えば光ディスク、磁気ディスク、メモリカード等、これら第１及び第２の記録媒体には、種々の記録媒体を適用することができる。
【産業上の利用可能性】
【００４７】
本発明は、記録再生装置及び記録再生装置の制御方法に関し、例えば講演会、会議の記録等に使用する携帯型のレコーダに適用することができる。
【図面の簡単な説明】
【００４８】
【図１】本発明の実施例に係る記録再生装置におけるコントローラの処理手順を示すフローチャートである。
【図２】本発明の実施例に係る記録再生装置を示す正面図、平面図、側面図である。
【図３】本発明の実施例に係る記録再生装置を示すブロック図である。
【図４】図１の処理手順によりダビングの説明に供する略線図である。
【符号の説明】
【００４９】
１……記録再生装置、２……マイク、４Ａ〜４Ｈ、８Ａ〜８Ｅ……操作子、５……スピーカ、１１……メモリ、１２、１９……記録再生系、１８……磁気テープ、２５……遅延回路、２９……コントローラ
【図１】
2006252591.tif 000003
【図２】
2006252591.tif 000004
【図３】
2006252591.tif 000005
【図４】
2006252591.tif 000006